(57)【要約】【課題】レンズユニットを分解しないで簡単な作業で片ボケの無いレンズの調整が出来るレンズ保持装置を提供する。【解決手段】本発明のレンズ保持装置は、プラスチックレンズ１と、前記プラスチックレンズを保持するレンズ保持鏡筒９において、前記プラスチックレンズ１の外周面には、前記レンズ保持鏡筒の内周面に嵌合する嵌合部１ａと前記プラスチックレンズのアジマス調整を可能にするギア部１ｂとを備え、レンズ鏡筒組立後に光学性能検査時にプラスチックレンズ１のギア部１ｂを回転させることによりプラスチックレンズのバラツキによる片ボケなどを調整し、アジマス調整冶具を兼ねた固定部材で、前記プラスチックレンズ１を固定することができ、特に大口径のプラスチックレンズを用いるレンズ鏡筒に適している。【選択図】図２
2009205026.tif 000002
【特許請求の範囲】
【請求項１】
プラスチックレンズと、このプラスチックレンズを保持するレンズ保持鏡筒において、前記プラスチックレンズの外周面には、前記レンズ保持鏡筒の内周面に嵌合する嵌合部と、前記プラスチックレンズのアジマス調整をするギア部と、当該ギア部に噛合する固定部材を備えたレンズ保持装置。
【請求項２】
前記固定部材がプラスチックレンズのアジマス調整冶具である請求項１に記載のレンズ保持装置。
【請求項３】
プラスチックレンズと、このプラスチックレンズを保持するレンズ保持筒と、このレンズ保持筒をさらに保持するレンズ保持鏡筒からなり、前記レンズ保持筒の外周面には、前記レンズ保持鏡筒に嵌合する嵌合部と、噛合するギア部とを備えたレンズ保持装置。
【発明の詳細な説明】
【技術分野】
【０００１】
本発明は、プラスチックレンズを備えたレンズ群を保持するレンズ保持装置に関する。
【背景技術】
【０００２】
従来よりレンズの光学性能調整機構に関しては、様々な提案がなされており、例えば特許文献１に記載されているものがある。
【０００３】
図８は、従来例を示す断面図である。
【０００４】
図８において、レンズ保持鏡筒２３は、前記レンズ保持鏡筒２３を収容するレンズ保持鏡筒２４に収容される。前記レンズ保持鏡筒２３には仮想円中心の異なる外向きの突起２３ａが複数設けられ、前記レンズ保持鏡筒２４にはレンズ保持鏡筒２３に嵌合する仮想円中心の異なる内向きの突起２４ａが複数設けられている。それらの仮想円中心２５の異なる突起から光学性能が良い組み合わせを見つけてレンズユニットを組立てている。
【０００５】
また、特許文献２に記載された従来例では、図９に示すように、半製品のレンズ保持鏡筒２６に対するレンズ２７の光軸の位置決めを大掛かりな位置決め冶具２８を用いて行っている。
【特許文献１】特許第３５００４３８号公報（図２）
【特許文献２】特開２００３−１７７２９１号公報（図２）
【発明の開示】
【発明が解決しようとする課題】
【０００６】
しかしながら、前記特許文献１の従来構成では、光学的中心軸である光軸中心とレンズ保持鏡筒の中心を調整する偏芯調整だけであり、レンズユニットを組立後の光学性能検査でプラスチックレンズの成形時の残留応力やレンズ面精度の成形バラツキによる光学性能の劣化である片ボケなどの光学性能を補正する場合は、このプラスチックレンズのアジマス調整を、レンズユニットを分解して行う必要があるため、作業性が悪いという課題を有していた。
【０００７】
また、前記特許文献２の従来構成ではレンズユニットのある１群のみの調整なので、レンズユニット組立完成後に光学性能の調整ができないという課題を有していた。
【０００８】
本発明は、前記従来の課題を解決するもので、レンズユニットを組み立てた後、このレンズユニットを分解しないでレンズユニットの光学性能評価、例えば、投影検査時にレンズユニットの状態でプラスチックレンズによる片ボケなどの光学性能を調整可能としたレンズ保持装置を提供することを目的とする。
【課題を解決するための手段】
【０００９】
前記従来の課題を解決するために、本発明のレンズ保持装置は、プラスチックレンズと、前記プラスチックレンズを保持するレンズ保持鏡筒において、前記プラスチックレンズの外周面には、前記レンズ保持鏡筒の内周面に嵌合する嵌合部と、前記プラスチックレンズのアジマス調整を可能にするギア部と、当該ギア部に噛合する固定部材を備え、前記プラスチックレンズのギア部を固定することを特徴としたものである。
【００１０】
また、本発明は、前記固定部材がプラスチックレンズのアジマス調整することを特徴としたものである。
【００１１】
さらに、レンズ保持装置においてプラスチックレンズに嵌合部とギア部が設けられない場合、プラスチックレンズを保持するレンズ保持筒が請求項１のレンズ保持鏡筒に嵌合する嵌合部と噛合するギア部とを備えたことを特徴としたものである。
【発明の効果】
【００１２】
本発明のレンズ保持装置によれば、レンズユニットを組立後の光学性能検査時に片ボケなどの光学性能を調整することができる。
【発明を実施するための最良の形態】
【００１３】
以下に、本発明のレンズ保持装置の実施の形態を図面とともに詳細に説明する。
【００１４】
（実施の形態１）
図１は、本発明の実施の形態１におけるレンズ保持装置の全体構成を示す構成図である。
【００１５】
図２は、図１のアジマス調整機構の構成を示す斜視図である。
【００１６】
図２において、アジマス調整機構は、レンズ２がレンズ保持鏡筒９に熱溶着で固着され、プラスチックレンズ１がレンズ保持鏡筒９に光軸１８の鉛直方向に回転可能なようにレンズ押さえバネ１９で押止する。レンズ保持鏡筒９の外周面にはレンズ保持鏡筒開口部９ａが設けられ、レンズ保持鏡筒開口部９ａの側縁にはレンズストッパー１７が周方向に回動可能なサイドガイド９ｂ、９ｃが形設されている。
【００１７】
図３は、アジマス調整機構のアジマス調整時の開口部の断面図である。
【００１８】
図３において、プラスチックレンズ１にはアジマス調整用のギア部１ｂにアジマス調整用冶具ギア２１が噛合され、プラスチックレンズ１を回転させる。
【００１９】
図４は図２の組立後の斜視図である。
【００２０】
図４において、レンズストッパー１７はレンズ保持鏡筒９のサイドガード９ｂ，９ｃに係合させ、レンズ保持鏡筒開口部９ａ内部のプラスチックレンズ１に設けられたギア部１ｂに少なくとも１歯が噛合するギア１７ａが形設される。
【００２１】
図５は図４のレンズストッパー１７を組立後の開口部の断面図である。
【００２２】
図５において、レンズストッパー１７のギア部１７ａはレンズ保持鏡筒９のレンズ保持鏡筒開口部９ａの範囲はレンズストッパー１７のギア部７ａがレンズ保持鏡筒９の外周部に沿って回動可能な範囲設けられ、レンズストッパー１７をレンズ鏡筒９の外周部に沿って回動することによりプラスチックレンズ１のアジマスの微調整可能であり、レンズ保持鏡筒９にはレンズストッパーを固定する為のビス締めの長穴９ｄが円周方向に設けられ、アジマス調整後レンズストッパー１７はビス２０にて固定される。
【００２３】
以上のように、実施の形態１においては、レンズユニットを組立後に光学性能検査時にプラスチックレンズ１をアジマス調整用冶具ギア２１で回転させて光学性能を確認しながらプラスチックレンズ１のアジマス粗調整し、片ボケ等の光学性能が改善された状態でレンズストッパー１７をビス締めすることにより、簡単に片ボケなどのないレンズユニットを完成することができる。
【００２４】
（実施の形態２）
次に、本発明の実施の形態２について説明する。
【００２５】
大略、実施の形態１と同様に構成されるので、以下では、相違点を中心に説明し、同じ構成部分については、実施の形態１と同じ符号を用いることとする。
【００２６】
図６は、本発明の実施の形態２のレンズ保持装置のアジマス調整機構の斜視図を示す。
【００２７】
図６において、プラスチックレンズ１はレンズ保持筒２２で保持され、実施の形態１の構成と異なるところはレンズ保持筒２２にレンズ保持鏡筒９との嵌合部２２ａとギア部２２ｂを設けた点である。
【００２８】
図７は、本発明の実施の形態２における嵌合部の一部断面図である。
【００２９】
図７において、レンズ保持鏡筒の嵌合部９ｅ中心９ｆと、レンズ保持筒の嵌合部２２ａの中心２２ａは嵌合部のクリアランス範囲内でレンズ保持筒２２のアジマス調整を行うことにより、光軸調整が可能となり、簡単に片ボケなどのないレンズユニットを完成することができる。
【産業上の利用可能性】
【００３０】
本発明にかかるレンズ保持装置は、プラスチックレンズのアジマス調整機構を有し、大口径のプラスチックレンズの成形時の残留応力やレンズ面精度の成形バラツキによる光学性能の劣化である片ボケなどの光学性能劣化をレンズユニットの組立後に光学性能を確認しながら簡単な設備で調整する機構等として有用である。
【図面の簡単な説明】
【００３１】
【図１】本発明の実施の形態１におけるレンズ保持装置の全体構成を示す構成図
【図２】本発明の実施の形態１におけるレンズ保持装置のアジマス調整機構の構成を示す斜視図
【図３】本発明の実施の形態１におけるレンズ保持装置のアジマス調整機構のアジマス調整時の開口部の断面図
【図４】本発明の実施の形態１におけるレンズ保持装置のアジマス調整機構のレンズストッパー組立を示す斜視図
【図５】本発明の実施の形態１におけるレンズ保持装置のアジマス調整機構のレンズストッパー組立て後の開口部の断面図
【図６】本発明の実施の形態２におけるレンズ保持装置のアジマス調整機構の構成を示す斜視図
【図７】本発明の実施の形態２における嵌合部の一部断面図
【図８】従来例のレンズ保持装置の一部断面図
【図９】他の従来例のレンズ保持装置の平面図
【符号の説明】
【００３２】
１  レンズ１
１ａ  プラスチックレンズ嵌合部
１ｂ  プラスチックレンズギア部
２  レンズ２
３  折り返しミラー
４  レンズ３
５  レンズ４
６  レンズ５／６
７  レンズ７／８
８  レンズ９
９  レンズ保持鏡筒
９ａ  レンズ保持鏡筒開口部
９ｂ  サイドガイド
９ｃ  サイドガイド
９ｄ  ビス締め長穴
９ｅ  レンズ保持鏡筒のレンズ保持筒の嵌合部
９ｆ  レンズ保持鏡筒のレンズ保持筒の嵌合部中心
１０  ミラー枠
１１  本体枠
１２  ３群枠
１３  後群枠
１４  カム筒
１５  ミラー押さえ
１６  絞り
１７  レンズストッパー
１７ａ  レンズストッパーギア部
１８  光軸
１９  レンズ押さえバネ
２０  ビス
２１  アジマス調整用冶具ギア
２２  レンズ保持筒
２２ａ  レンズ保持筒嵌合部
２２ｂ  レンズ保持筒ギア部
２３  レンズ保持鏡筒
２３ａ  レンズ保持鏡筒の外向き突起
２４  レンズ保持鏡筒
２４ａ  レンズ保持鏡筒の内向き突起
２５  仮想円
２６  レンズ保持鏡筒
２７  レンズ
２８  調整冶具
【図１】
2009205026.tif 000003
【図２】
2009205026.tif 000004
【図３】
2009205026.tif 000005
【図４】
2009205026.tif 000006
【図５】
2009205026.tif 000007
【図６】
2009205026.tif 000008
【図７】
2009205026.tif 000009
【図８】
2009205026.tif 000010
【図９】
2009205026.tif 000011